(57)【要約】【課題】  画像編集機能を有する画像形成装置であって、画像読取部における画像読取手段が画像読取機能だけでなく画像表示機能をも有するとともに、一般的な用紙サイズの画像を原寸大で表示でき、画像の確認のために印刷を行なう必要のない画像形成装置を提供する。【解決手段】  画像形成装置１において、画像読取部２が、画像読取機能、画像編集機能およびタッチパネル機能を有するＴＦＴ液晶表示装置１０と、ＴＦＴ液晶表示装置１０を画像形成装置１の設置面に対して傾斜支持する支持部材１１と、傾斜支持されるＴＦＴ液晶表示装置１０の下端部１０ａ近傍に設けられる用紙保持部材１２と、図示しない記憶素子を含むメモリ制御装置および表示制御装置とを含んで構成され、ＴＦＴ液晶表示装置１０の液晶表示面がＢ５〜Ａ３サイズの大きさを有し、ＴＦＴ液晶表示装置１０により画像読取および画像編集を行なう。【選択図】      図１
2006191488.tif 000002
【特許請求の範囲】
【請求項１】
記録媒体に形成された画像を読み取る画像読取手段を備える画像読取部と、画像読取部において得られる画像情報に基づいて記録媒体上に画像を形成する画像形成部と、画像形成部に記録媒体を供給する用紙供給部とを含む画像形成装置において、
画像読取手段が、
トランジスタと受光素子とを含み、画像読取機能を有するＴＦＴ液晶表示装置であることを特徴とする画像形成装置。
【請求項２】
画像形成部が電子写真方式またはインクジェット方式により記録媒体上に画像を形成することを特徴とする請求項１記載の画像形成装置。
【請求項３】
ＴＦＴ液晶表示装置が、さらにタッチパネル機能を有することを特徴とする請求項１または２に記載の画像形成装置。
【請求項４】
ＴＦＴ液晶表示装置の液晶表示面が、画像形成装置の設置面に対して傾斜するように設けられることを特徴とする請求項１〜３のうちのいずれか１つに記載の画像形成装置。
【請求項５】
画像形成装置の設置面に対して傾斜するように設けられる液晶表示面の、下端部に近接して設けられ、液晶表示画面に載置される用紙を液晶表示面上に保持する用紙保持手段を含むことを特徴とする請求項４記載の画像形成装置。
【請求項６】
ＴＦＴ液晶表示装置の液晶表示面が、その表面に透明保護層を有することを特徴とする請求項１〜５のうちのいずれか１つに記載の画像形成装置。
【発明の詳細な説明】
【技術分野】
【０００１】
本発明は、画像形成装置に関する。
【背景技術】
【０００２】
最近のデジタルカラー複写機の高画質化および高機能化に伴い、操作者の望む出力画像を得るために、高性能な画像編集機能を有する複写機が普及しつつある。画像編集機能を有する複写機においては、編集後の画像を確認するには、編集後の画像を実際に記録媒体上に印刷することが必要である。したがって、このような画像形成装置では、画像編集を行なう度に、編集後の画像を記録媒体上へ印刷して確認する必要があるので、時間的、コスト的な無駄が非常に大きい。
【０００３】
画像編集機能を有する複写機における、上記のような問題点に鑑み、複写機にＣＲＴ、液晶デバイス（Liquid Crystal Display、以後「ＬＣＤ」と称す）などからなる表示部を設け、該表示部に、読取画像、編集画像などを表示するプレビュー機能を有する複写機が製品化されつつある。特にＬＣＤからなる表示部を備える複写機、複合機などにおいては、印刷しようとする画像または読取画像を表示部にプレビューとして表示することによって、操作者は該画像の印刷イメージを前もって視覚的に確認できる。
【０００４】
また、ＬＣＤからなる表示部を備える複写機、複合機では、操作者が印刷物にステイプル処理またはパンチ孔を開ける処理を施す場合に、プレビュー上に処理位置を表示する。これによって、画像部分へのステイプル処理およびパンチ孔開口処理の実行が防止される。このような複写機、複合機は、表示部に表示する画像データを保持する記憶素子領域を有するメモリ制御手段と、記憶素子領域に保持される画像データを取り出して表示部に表示する画像を作成する表示制御手段とを含む。そして、表示部に画像を表示する場合は、表示部の制御回路が該表示部のリフレッシュ間隔に応じて、記憶素子領域に保持される画像データを随時読み取り、表示部に画像データを出力することによって、表示部に画像をプレビューとして表示する。このようなプレビュー表示システムにおいて、表示部に表示されるプレビュー画像に変更を加える場合、表示制御装置によって新たな画像データを作成し、記憶素子領域に展開する必要がある。したがって、操作者が画像に変更を加える毎に、表示制御装置により作成される表示画面全体の画像データが記憶素子領域に展開される。
【０００５】
しかしながら、従来の複写機におけるＬＣＤからなる表示部は、Ａ３、Ａ４、Ｂ４、Ｂ５といった実際の用紙サイズよりも小さくおよび／または解像度が不充分であり、プレビュー画像も実際の画像を均等に縮小した状態で表示されるので、特に複雑な形状を有する画像を表示する場合に、プレビュー画像では細部を正確に認識できないことが多い。細部の確認のためには、記録媒体上に実際に印刷せざるを得なくなるので、表示部を備えることによる利点が損なわれる。このため、ＬＣＤからなる表示部を実際の用紙サイズ程度に大型化すること、ＬＣＤの高精細性により解像度をさらに向上させることなどが求められる。このうち、ＬＣＤからなる表示部の大型化は、ＬＣＤの画像読取機能、編集画像表示機能などを損なうことが多く、商業的レベルでの実用化には至っていない。したがって、専ら、ＬＣＤの高精細化についての検討がなされている。
【０００６】
ＬＣＤの高精細化のために、周辺回路を同一基板上に形成した駆動回路一体型ＬＣＤ（ＴＦＴ−ＬＣＤ）の開発が進められている。たとえば、トランジスタと受光素子（フォトダイオード）とを含み、受光素子が、ｐ型半導体層、光電変換層およびｎ型半導体層を順次積層した構造であり、光電変換層に照射される光を電気信号に変換する素子であるＴＦＴ−ＬＣＤが知られている（たとえば、特許文献１参照）。このＴＦＴ−ＬＣＤは、画像読取機能、タッチパネル機能などを付加することが非常に容易であるという利点を有する。このようなＴＦＴ−ＬＣＤにおいては、トランジスタの能動層および受光素子の半導体層に多結晶シリコン膜が用いられ、トランジスタおよび受光素子が機能を発現する上で大きな役割を果たしている。
【０００７】
多結晶シリコン膜は種々の製造方法により製造されるけれども、その中でも、（ａ）絶縁基板上に非晶質シリコン膜を形成する工程と、（ｂ）非晶質シリコン膜をエッチングして、非晶質シリコン膜に、膜厚が薄い第１の領域と、膜厚が厚い第２の領域とを形成する工程と、（ｃ）非晶質シリコン膜に、第１の領域がアブレーションせず、かつ、第２の領域が完全溶融するエネルギのレーザビームを照射して、多結晶シリコン膜を得る工程とを含む製造方法により得られる多結晶シリコン膜は、電気的特性に優れるトランジスタと、光効率に優れる受光素子とを形成できる（たとえば、特許文献２参照）。しかしながら、特許文献２には、特許文献２の方法で得られる多結晶シリコン膜を含むＴＦＴ−ＬＣＤを画像形成装置における画像読取手段として用いることについては、一切記載がない。しかも、特許文献２の出願人自身が該ＴＦＴ−ＬＣＤの用途として公表するのは、カタログの読み込み、バーコードの読み取り、掌紋、指紋の認証などに過ぎず、該ＴＦＴ−ＬＣＤを画像形成装置における表示部以外の部分に利用するという技術思想は一切見当たらない。
【０００８】
【特許文献１】特開２００２−１７６１６２号公報
【特許文献２】特開２００４−２５３６４６号公報
【発明の開示】
【発明が解決しようとする課題】
【０００９】
本発明の目的は、画像編集機能を有する画像形成装置であって、画像読取部における画像読取手段が画像読取機能だけでなく画像表示機能をも有するとともに、画像読取手段の画像読取面または画像表示面が、一般的な用紙サイズの画像を原寸大で表示でき、画像の確認のために印刷を行なう必要のない画像形成装置を提供することである。
【課題を解決するための手段】
【００１０】
本発明者は、上記課題を解決すべく鋭意研究を重ねた結果、特許文献１の方法で得られる多結晶シリコン膜をＴＦＴ−ＬＣＤの半導体層に用いる場合には、該ＴＦＴ−ＬＣＤの読取または表示画面を、Ａ３〜Ｂ５程度の大きさに形成しても解像度が低下せず、プレビュー表示時でも画像を原寸大でまたは原寸よりも大きくかつ精細に表示でき、確認のための印刷を省略できることを見出し、本発明を完成した。
【００１１】
本発明は、記録媒体に形成された画像を読み取る画像読取手段を備える画像読取部と、画像読取部において得られる画像情報に基づいて記録媒体上に画像を形成する画像形成部と、画像形成部に記録媒体を供給する用紙供給部とを含む画像形成装置において、
画像読取手段が、
トランジスタと受光素子とを含み、画像読取機能を有するＴＦＴ液晶表示装置であることを特徴とする画像形成装置である。
【００１２】
また本発明の画像形成装置は、画像形成部が電子写真方式またはインクジェット方式により記録媒体上に画像を形成することを特徴とする。
【００１３】
さらに本発明の画像形成装置は、ＴＦＴ液晶表示装置が、さらにタッチパネル機能を有することを特徴とする。
【００１４】
さらに本発明の画像形成装置は、ＴＦＴ液晶表示装置の液晶表示面が、画像形成装置の設置面に対して傾斜するように設けられることを特徴とする。
【００１５】
さらに本発明の画像形成装置は、画像形成装置の設置面に対して傾斜するように設けられる液晶表示面の、下端部に近接して設けられ、液晶表示面に載置される用紙を液晶表示画面上に保持する用紙保持手段を含むことを特徴とする。
【００１６】
さらに本発明の画像形成装置は、ＴＦＴ液晶表示装置の液晶表示面が、その表面に透明保護層を有することを特徴とする。
【発明の効果】
【００１７】
本発明によれば、画像読取部と、画像形成部と、用紙供給部とを含む画像形成装置において、画像読取手段として、トランジスタと受光素子とを含み、画像読取機能を有する特定のＴＦＴ液晶表示装置を用いることによって、ＴＦＴ液晶表示装置における液晶表示面を、Ａ３〜Ｂ５程度の寸法に構成することができるので、Ａ３〜Ｂ５程度の記録媒体に形成された画像を正確に読み取り、画像データとして蓄積し、かつ該画像データに基づく複写および編集を実施できる。さらに、該画像形成装置は、外付けの画像読取装置が不要なので、画像読取面を大画面にしても全体としての小型化が可能である。また、本発明の画像形成装置を用いれば、ＴＦＴ液晶表示装置の液晶表示面に対象物を載置するという簡単な操作だけで、対象物上の画像の読取が可能なので、カタログ、バーコードなどの読み込みも容易であり、単に画像データを記録媒体に印刷して出力する以外にも、多様な用途が想定される。
【００１８】
本発明の画像形成装置では、画像読取手段として用いられるＴＦＴ液晶表示装置に、画像読取機能とともに読取画像表示機能を付与することによって、画像の読取、編集画像のプレビュー表示および画像編集を、ＴＦＴ液晶表示装置の液晶表示面で行なうことができ、しかもプレビューが原寸大でまたは原寸よりも大きく表示されるので、画像の細部まで視認による確認が容易になり、印刷による確認が不要になる。
【００１９】
また本発明によれば、本発明の画像形成装置において、画像読取部にて得られる画像データに基づいて、電子写真方式またはインクジェット方式により記録媒体上に画像を形成することによって、高画質の画像を長期間にわたって安定的に形成できる。
【００２０】
また本発明によれば、ＴＦＴ液晶表示装置に、さらにタッチパネル機能を付与することによって、画像読取部にて読み取られ、保持される画像データの中から所望の画像データを選択するのが容易になるとともに、画像データの編集を行ない易くなる。
【００２１】
また本発明によれば、ＴＦＴ液晶表示装置の液晶表示面を、画像形成装置の設置面に対して傾斜するように設けることによって、液晶表示面の視認性が向上し、プレビュー画像の細部の確認、画像編集などを容易に実施できる。
【００２２】
また本発明によれば、画像形成装置の設置面に対して傾斜するように設けられる液晶表示画面の、下端部に近接して、液晶表示面に載置される用紙を液晶表示画面上に保持する用紙保持手段を設けることによって、記録媒体が液晶表示面上に確実に保持され、液晶表示面から落下するのを防止できる。
【００２３】
また本発明によれば、ＴＦＴ液晶表示装置の液晶表示面の表面に透明保護層を設けることによって、液晶表示面に、擦過などによる損傷が発生するのを防止できる。
【発明を実施するための最良の形態】
【００２４】
図１は、本発明の実施の第１形態である画像形成装置１の外観を示す斜視図である。図２は、図１に示す画像形成装置１の構成を模式的に示す矢符５０の方向から見た断面図である。
【００２５】
画像形成装置１は、画像読取部２と、画像形成部３と、用紙供給部４とを含んで構成される。
【００２６】
画像読取部３は、画像読取手段であるＴＦＴ液晶表示装置１０と、ＴＦＴ液晶表示装置１０を画像形成装置１の設置面に対して傾斜するように支持する支持部材１１と、傾斜して支持されるＴＦＴ液晶表示装置１０の下端部１０ａ近傍の支持部材表面１１ａに外方に突出するように設けられ、ＴＦＴ液晶表示装置１０上に載置される用紙を保持する用紙保持部材１２と、図示しない記憶素子を含むメモリ制御装置と、図示しない表示制御装置とを含んで構成される。
【００２７】
ＴＦＴ液晶表示装置１０は、画像読取機能とともに、画像表示機能およびタッチパネル機能を有し、ＴＦＴが、特開２００４−２５３６４６号公報に記載の製造方法により得られる多結晶シリコン膜を含んで構成される以外は、従来のＴＦＴ液晶表示装置と同様の構成を有する。
【００２８】
図３は、ＴＦＴ液晶表示装置１０におけるＴＦＴ１０ｘの構成を模式的に示す断面図である。ＴＦＴ１０ｘは、ガラス基板３１と、ガラス基板３１上に形成され、窒化珪素層と二酸化珪素層とを含むアンダーコート層３２と、アンダーコート層３２上に形成される多結晶シリコン膜３５，３６と、アンダーコート層３２、多結晶シリコン膜３５，３６上に形成されるゲート絶縁層３３と、ゲート絶縁層３３上にゲート絶縁層３３を介して多結晶シリコン膜３５，３６にそれぞれ対向するように形成されるゲート線３７および金属線３９と、ゲート絶縁層３３、ゲート線３７および金属線３９上に形成されるシリコン酸化膜３４と、ゲート絶縁層３３およびシリコン酸化膜３４を貫通して多結晶シリコン膜３５に接続される信号線３８ａ，３８ｂと、ゲート絶縁層３３およびシリコン酸化膜３４を貫通して多結晶シリコン膜に接続される信号線４０ａ，４０ｂとを含んで構成される。
【００２９】
多結晶シリコン膜３５は、特開２００４−２５３６４６号記載の方法により製造され、トランジスタ部分の能動層になる。多結晶シリコン膜３５は、高濃度のリンが注入されたｎ＋型のソース領域３５ａおよびドレイン領域３５ｅと、低濃度のリンが注入されたｎ型のＬＤＤ（Lightly Doped Drain）３５ｂ，３５ｄと、低濃度のボロンが注入されたｐ型のチャンネル領域３５ｃとを含んで構成される。
【００３０】
多結晶シリコン膜３６は、多結晶シリコン膜３５と同様の多結晶シリコン膜であり、受光素子部分の半導体層になる。多結晶シリコン膜３６は、高濃度のボロンが注入されたｐ＋型のｐ型層３６ａと、光電変換層３６ｂと、低濃度のリンが注入されたｎ−型のｎ型層３６ｃと、高濃度のリンが注入されたｎ＋型のｎ型層３６ｄとを含んで構成される。
【００３１】
ＴＦＴ液晶表示装置１０は、図３に示す構成のものに限定されず、トランジスタの能動層および受光素子の半導体層が、特開２００４−２５３６４６号公報に記載の製造方法によって得られる多結晶シリコン膜を含む以外は、従来の種々のＴＦＴ液晶表示装置と同じ構成を採ることができる。
【００３２】
ＴＦＴ液晶表示装置１０の液晶表示面は、Ｂ５〜Ａ３サイズの大きさを有する。これによって、画像を原寸大または必要に応じて拡大して表示できるので、画像の細部まで編集が容易にでき、しかも、印刷を行なうことなく視認によりの所望の画像が得られているか否かを確認できる。
【００３３】
また、ＴＦＴ液晶表示装置１０の液晶表示面の表面には、図示しない透明保護層が形成される。透明保護層には、ガラス板が用いられる。
【００３４】
さらに、ＴＦＴ液晶表示装置１０には、図示しない制御部が含まれる。この制御部は、ＴＦＴ液晶表示装置１０のリフレッシュ間隔に応じて、後述するメモリ制御装置の記憶素子領域に保持される画像データを読み込み、ＴＦＴ液晶表示装置１０に対して画像データを出力する。ＴＦＴ液晶表示装置１０には、様々な解像度のものが存在し、また、モノクロ、カラーなどに応じて表示画素毎にデータのパターンが異なる場合があるけれども、画像データをリフレッシュ間隔に応じて転送する処理は同等であるため、複数の画像データパターンに対応できる。
【００３５】
支持部材１１は、画像形成装置１の設置面に対して、ＴＦＴ液晶表示装置１０の画像表示面が平行になるように、ＴＦＴ液晶表示装置１０を支持する。
【００３６】
用紙保持部材１２は、支持部材１１により画像形成装置１の設置面に対して傾斜するように支持されるＴＦＴ液晶表示装置１０上に記録媒体を載置する場合に、記録媒体がＴＦＴ液晶表示装置１０上から落下するのを防止する。
【００３７】
支持部材１１および用紙保持部材１２は、たとえば、合成樹脂、金属などを用いて、好ましくは合成樹脂を用いて形成される。
【００３８】
メモリ制御装置は、ＴＦＴ液晶表示装置１０により読み取られた画像データを展開し、保持するためのメモリ資源となる記憶素子領域を含んで構成される。ただし、この構成に限定されず、画像形成装置１内にハードディスク装置を設け、ハードディスク装置内に画像データを保存してもよい。さらに、画像形成装置１とコンピュータなどの端末装置とをネットワークで接続し、該端末装置に画像データを保存してもよい。
【００３９】
表示制御装置は、ＴＦＴ液晶表示装置１０の制御部によってメモリ制御装置から取り出され、液晶表示面に表示される画像データを編集する機能を有する。表示制御装置は、ＴＦＴ液晶表示装置１０の液晶表示面の一部または全面に表示されるタッチパネルによって動作可能に構成されるので、画像データを容易に編集できる。編集後の画像データは再度メモリ制御装置の記憶素子領域に展開され、保持される。
【００４０】
実際の画像編集について、ステープル位置が画像に重ならないように調整する場合を例にして説明する。まず、ＴＦＴ液晶表示装置１０の液晶表示面に、ＴＦＴ液晶表示装置１０の制御部によってメモリ制御装置から取り出された原稿画像と共に予め定められるステープル位置を表示する。液晶表示面には、原稿画像がたとえば原寸大で表示されるので、原稿画像の細部まで明瞭に確認できる。そして、原稿画像がステープル位置と重なるかまたはステープル処理によりその一部が視認し難くなる場合には、操作者によるタッチパネル操作により表示制御装置を動作させ、原稿画像を編集してステープル位置と重ならないようにするかまたは原稿画像の一部もしくは全体をステープル位置と重ならない位置に移動させ、編集を完了する。編集後の画像データはメモリ制御装置の記憶素子領域に展開され、保持される。また、記憶素子領域に保持する前または同時に、印刷を行なうこともできる。
【００４１】
記憶素子領域に保持される画像データの印刷は、画像データの情報が画像形成装置１の全動作を制御する図示しないＣＰＵに格納され、ＣＰＵから画像形成部３に動作信号を送ることにより実施される。
【００４２】
本実施の形態では、画像形成装置にパーソナルコンピュータなどのコンピュータを接続し、画像読取部で読み取られる画像データをコンピュータに取り込み、コンピュータのディスプレイで原稿画像を表示し、さらにステープル位置を示すマークを表示する。原稿画像の編集は、コンピュータのディスプレイ上でコンピュータの機能を利用して行なわる。原稿画像の編集が完了すると、編集後の画像データおよびステープル位置情報は画像形成装置のＣＰＵに格納され、印刷に供せられ、その後ステープル処理が施される。この場合の制御プログラムは、コンピュータのハードディスクに記憶されてもよい。また、フロッピー（登録商標）ディスク、ＣＤ、ＤＶＤなどの記憶媒体に記憶させ、コンピュータに読み込ませてもよい。なお、コンピュータによる編集後の原稿画像データを画像形成装置に出力すると共に、コンピュータのハードディスクに記憶させることもできる。
【００４３】
画像形成部３は、感光体１３と、帯電手段１５と、露光手段１６と、現像手段１７と、転写手段１８と、クリーニング手段１９と、定着手段２０とを含んで構成され、電子写真方式により画像形成を行なう。
【００４４】
感光体１３は、図示しない駆動手段により矢符１４の方向に回転駆動可能に支持され、図示しない円筒状または円柱状の導電性基体と、導電性基体の表面に形成される感光層とを含んで構成される。感光体にはこの分野で常用されるものを使用でき、たとえば、導電性基体であるアルミニウム素管と、アルミニウム素管の表面に形成される有機感光層とを含み、ＧＮＤ電位に接続される直径３０ｍｍの感光体が挙げられる。有機感光層は、電荷発生物質を含む電荷発生層と、電荷輸送物質を含む電荷輸送層とを積層して形成される。有機感光層は、電荷発生物質と電荷輸送物質とを１つの層に含むものであってもよい。有機感光層の層厚は、たとえば、２０μｍである。また、感光体と有機感光層との間に下地層を設けてもよい。
【００４５】
帯電手段１５は、感光体１３の表面を所定の極性および電位に帯電させる。本実施の形態では、帯電手段１５には帯電ローラが用いられるけれども、それに限定されず、たとえば、ブラシ型帯電器、チャージャー型帯電器、スコロトロンといったコロナ帯電器などが使用できる。
【００４６】
露光手段１６は、帯電状態にある感光体１３の表面に画像データに対応する信号光を照射し、感光体１３の表面に、画像データに対応する静電潜像を形成する。露光手段１６には、半導体レーザなどが用いられる。画像データは図示しないＣＰＵから伝達される。
【００４７】
現像手段１７は、感光体１３表面に圧接し、感光体１３表面の静電潜像にトナーを供給し、静電潜像を現像してトナー像を形成する。
【００４８】
転写手段１８は、感光体１３表面に圧接し、感光体１３と転写手段１８との圧接部に感光体１３上のトナー像が到達するのに同期して、後述する用紙供給部４から感光体１３と転写手段１８との圧接部に送給される記録媒体に、加圧により感光体１３表面のトナー像を転写する。転写手段１８には、たとえば、転写ローラが用いられる。
【００４９】
クリーニング手段１９は、感光体１３表面に当接するように設けられ、トナー像の記録媒体への転写後に感光体１３表面に残留するトナー、紙粉などを除去し、感光体１３表面を清浄化する。
【００５０】
定着手段２０は、加圧ローラ２０ａと、加圧ローラ２０ａに圧接するように設けられる加熱ローラ２０ｂとを含んで構成される。転写手段１８によってトナー像を転写された記録媒体は、加圧ローラ２０ａと加圧ローラ２０ｂとの圧接部に送給されて加圧および加熱を受ける。これによって、トナー像が記録媒体に定着し、記録媒体上に画像が形成される。
【００５１】
定着手段２０によって画像形成がなされた記録媒体は、排出ローラ２１を介して、画像形成装置１外部に設けられる排紙トレイ２３に排出される。
【００５２】
画像形成部３によれば、矢符１４の方向に回転駆動する感光体１３表面を帯電手段１５により帯電した後、露光手段１６により画像情報に対応する信号光を照射して静電潜像を形成し、これに現像手段１７からトナーを供給してトナー像を得、このトナー像を転写手段１８により記録媒体に転写し、さらに定着手段２０により定着させる。こうして画像が形成された記録媒体は、排出ローラ２１を介して外部の排紙トレイ２３に排出される。一方、トナー像転写後の感光体１３は、クリーニング手段１９によりその表面が清浄化される。この一連の工程が繰り返されて画像が形成される。
【００５３】
本実施の形態では、画像形成部３には、単一色の画像が形成されるけれども、カラー画像を形成する構成を採用することもできる。
【００５４】
また本実施の形態では、画像形成部３として電子写真方式が採用されるけれども、それに限定されず、インクジェット方式、静電記録方式などを用いて画像形成することもできる。
【００５５】
用紙供給部４は、用紙搬送ローラ２２と、用紙カセット２４，２６，２７と、用紙搬送路２５，２８，３０と、手差しトレイ２９とを含んで構成される。
【００５６】
用紙搬送ローラ２２および用紙搬送路２５は、記録媒体の両面に画像を形成する場合に用いられる。用紙搬送路２５は、その内部にて記録媒体の表裏を反転させる機能を有する。一方の面に画像が形成された記録媒体は、通常は排出ローラ２１を介して画像形成装置１の外部に排出されるけれども、他方の面にも画像を形成する場合は、用紙搬送ローラ２２を介して用紙搬送路２５内に送給され、ここでその表裏を反転させて、用紙搬送路２８に戻される。
【００５７】
用紙カセット２４，２６，２７には、画像を形成する記録媒体が収容される。これらの用紙カセットには同じ大きさの記録媒体が収容されてもよい。また、異なる大きさの記録媒体が収容されてもよい。用紙カセット２４，２６，２７に収容される記録媒体は、用紙搬送路２８を介して、感光体１３と転写手段１８との圧接部に送給される。
【００５８】
手差しトレイ２９は、定型外の寸法の記録媒体に画像を形成する場合に、定型外の記録媒体を画像形成装置１内部に供給するために用いられる。手差しトレイ２９に供給される記録媒体は、用紙搬送路３０を介して、感光体１３と転写手段１８との圧接部に送給される。
【００５９】
用紙供給部４によれば、用紙カセット２４，２６，２７に収容される記録媒体または手差しトレイ２９から供給される記録媒体が、用紙搬送路２８または３０を介して、感光体１３と転写手段１８との圧接部に送給される。また、両面に画像を形成する場合は、片面に画像が形成された記録媒体を、用紙搬送ローラ２２および用紙搬送路２５により表裏を反転させた状態で用紙搬送路２８に戻され、画像形成に供される。
【００６０】
画像形成装置１によれば、画像読取手段２において読み取るかまたは編集された画像データに基づいて、記録媒体上に画像が形成される。
【００６１】
図４は、本実施の第２形態である画像形成装置４５の外観を示す斜視図である。画像形成装置４５は、画像形成装置１に類似の構造を有し、対応する部分については同一の参照符号を付して説明を省略する。なお、画像形成装置１は、その内部に、画像形成装置１と同様の画像形成部および用紙供給部を有する。
【００６２】
画像形成装置４５は、支持部材４６が、ＴＦＴ液晶表示装置１０を、画像形成装置４５の設置面に対して傾斜するように支持することを特徴とする。ＴＦＴ液晶表示装置１０を画像形成装置４５の設置面に対して傾斜させることによって、ＴＦＴ液晶表示装置１０の液晶表示面の視認性が一層向上し、該液晶表示面に表示される画像の編集などを一層容易に実施できる。
【００６３】
画像形成装置４５によれば、画像形成装置１と同様にして、読取画像または編集画像が記録媒体上に印刷される。
【００６４】
本発明においては、ＴＦＴ液晶表示装置１０の液晶表示面に表示される画像データについて編集を行なうけれども、画像データの編集を行なう部位はそれに限定されない。たとえば、画像形成装置１，４５と端末装置としての１または複数のコンピュータとをネットワークにより接続しておき、ＴＦＴ液晶表示装置１０の液晶表示面から取り込んだ画像データを端末装置から取り出し、または編集することが可能である。さらに、端末装置からの読取画像または編集画像に関する画像データを、ＴＦＴ液晶表示装置１０の液晶表示面に表示することもできる。さらに、該ネットワークにオーバーヘッドプロジェクタ（ＯＨＰ）を１つの端末機として組み込み、読取画像または編集画像をＯＨＰで拡大して表示することもできる。
【図面の簡単な説明】
【００６５】
【図１】本発明の実施の第１形態である画像形成装置の外観を示す斜視図である。
【図２】図１に示す画像形成装置の構成を模式的に示す矢符５０の方向から見た断面図である。
【図３】ＴＦＴ液晶表示装置におけるＴＦＴの構成を模式的に示す断面図である。
【図４】本発明の実施の第２形態である画像形成装置の外観を示す斜視図である。
【符号の説明】
【００６６】
１，４５  画像形成装置
２  画像読取部
３  画像形成部
４  用紙供給部
１０  ＴＦＴ液晶表示装置
１０ａ  下端部
１０ｘ  ＴＦＴ
１１，４６  支持部材
１１ａ  支持部材表面
１２  用紙保持部材
１３  感光体
１４  矢符
１５  帯電手段
１６  露光手段
１７  現像手段
１８  転写手段
１９  クリーニング手段
２０  定着手段
２０ａ  加圧ローラ
２０ｂ  加熱ローラ
２１  排出ローラ
２２  用紙搬送ローラ
２３  排紙トレイ
２４，２６，２７  用紙カセット
２５，２８，３０  用紙搬送路
２９  手差しトレイ
３１  ガラス基板
３２  アンダーコート層
３３  ゲート絶縁層
３４  シリコン酸化膜
３５，３６  多結晶シリコン膜
３５ａ  ソース領域
３５ｂ，３５ｄ  ＬＤＤ
３５ｃ  チャンネル領域
３５ｅ  ドレイン領域
３６ａ  ｐ型層
３６ｂ  光電変換層
３６ｃ，３６ｄ  ｎ型層
３７  ゲート線
３８ａ，３８ｂ，４０ａ，４０ｂ  信号線
３９  金属線
【図１】
2006191488.tif 000003
【図２】
2006191488.tif 000004
【図３】
2006191488.tif 000005
【図４】
2006191488.tif 000006